(57)【要約】【課題】  映像表示装置において映像信号に基づく映像を、ユーザが所望する表示条件でディスプレイに表示させるときに、スムーズな映像の表示が実行可能な映像表示システムを提供する。【解決手段】  映像表示システム３００の映像表示装置１００において、映像信号処理部３は、シリアル通信用信号のパラメータ部に基づいて、第１入力端子２Ａまたは第２入力端子２Ｂの入力端子を選択する。映像信号出力処理部４は、シリアル通信用信号のパラメータ部に基づいて、映像信号処理部３によって選択された１つの入力端子に対応する映像の表示条件を設定する。そして、表示処理部１３は、映像信号処理部３によって選択された１つの入力端子から入力される映像信号に基づく映像を、映像信号出力処理部４によって予め設定された表示条件で表示画面１０１に表示するように、表示部１を制御する。【選択図】      図２
2013222005.tif 000002
【特許請求の範囲】
【請求項１】
映像を表示するための映像信号の入力経路を複数有する映像表示装置と、該映像表示装置に指令信号を出力可能な遠隔操作装置とが、通信ネットワークを介して通信可能に接続される映像表示システムであって、
前記遠隔操作装置は、
前記複数の入力経路のうちのいずれか１つの入力経路を選択する指令信号である入力経路選択指令信号を生成する第１信号生成部と、
前記入力経路選択指令信号と関連付けて、前記映像表示装置における映像の表示条件を設定する指令信号である映像表示条件設定指令信号を生成する第２信号生成部と、
前記入力経路選択指令信号と前記映像表示条件設定指令信号とを出力する信号出力部と、を備え、
前記映像表示装置は、
映像を表示可能な表示画面を有する表示部と、
前記信号出力部から出力された前記入力経路選択指令信号と前記映像表示条件設定指令信号とを受信する信号受信部と、
前記信号受信部によって受信された前記入力経路選択指令信号に基づいて、前記複数の入力経路のうちのいずれか１つの入力経路を選択する入力経路選択部と、
前記信号受信部によって受信された前記映像表示条件設定指令信号に基づいて、前記入力経路選択部によって選択された１つの入力経路に対応する映像の表示条件を設定する表示条件設定部と、
前記入力経路選択部によって選択された１つの入力経路から入力される映像信号に基づく映像を、前記表示条件設定部によって予め設定された表示条件で前記表示画面に表示するように、前記表示部を制御する表示制御部と、を備えることを特徴とする映像表示システム。
【請求項２】
前記映像表示装置は、前記表示条件設定部によって設定された映像の表示条件を記憶する記憶部をさらに備え、
前記表示制御部は、前記記憶部に記憶された映像の表示条件に対応する１つの入力経路が前記入力経路選択部によって選択されたときに、前記記憶部に記憶された映像の表示条件を前記記憶部から取出して、前記１つの入力経路から入力される映像信号に基づく映像を、前記記憶部から取出した映像の表示条件で前記表示画面に表示するように、前記表示部を制御することを特徴とする請求項１に記載の映像表示システム。
【請求項３】
前記映像表示条件設定指令信号は、映像の表示条件として、映像の明るさに関する条件、および映像の大きさに関する条件の少なくともいずれか１つの条件を設定する指令信号であることを特徴とする請求項１または２に記載の映像表示システム。
【請求項４】
請求項１〜３のいずれか１つに記載の映像表示システムとしてコンピュータを機能させるための映像表示プログラム。
【発明の詳細な説明】
【技術分野】
【０００１】
本発明は、映像を表示する映像表示装置と遠隔操作装置とが通信ネットワークを介して通信可能に接続される映像表示システム、および映像表示プログラムに関する。
【背景技術】
【０００２】
映像を表示可能な表示画面を有するディスプレイを備えた、インフォメーションディスプレイなどの映像表示装置の中には、映像信号を出力可能な録画再生機器やパーソナルコンピュータなどの外部機器が接続できるように、複数の外部入力端子を有しているものがある。外部入力端子は、外部機器から出力された映像信号が映像表示装置に入力される入力経路となる。映像表示装置は、各外部入力端子に対応する複数の入力経路のうちのいずれか１つの入力経路から入力された映像信号に基づいて、ディスプレイに映像を表示するように構成されている。
【０００３】
たとえば、映像表示装置において、映像信号の入力経路が第１の入力経路から第２の入力経路に切換えられたとき、ディスプレイに表示される映像が、第１の入力経路から入力される映像信号に基づく映像から、第２の入力経路から入力される映像信号に基づく映像に切換えられる。このように、ディスプレイに表示される映像が切換えられるときには、ディスプレイにおける映像の表示が一旦途切れる。ディスプレイに表示される映像を視認するユーザにとっては、映像の表示が一旦途切れた場合には、違和感が生じる。
【０００４】
特許文献１には、ディスプレイに表示される映像が切換えられるときにおける、映像の表示が一旦途切れる期間に、擬似ホワイトノイズをディスプレイに表示させることが記載されている。
【先行技術文献】
【特許文献】
【０００５】
【特許文献１】特開平１１−３０５９号公報
【発明の概要】
【発明が解決しようとする課題】
【０００６】
特許文献１に記載される技術を用いた従来の映像表示装置では、ディスプレイに表示される映像が切換えられるときに、映像の表示が一旦途切れることの違和感が軽減されるかも知れないけれども、次のような問題点がある。
【０００７】
たとえば、映像表示装置において、映像信号が入力される入力経路を第１の入力経路から第２の入力経路に切換えて、その第２の入力経路に対応した表示条件（明るさなどの条件）で映像をディスプレイに表示させる場合、従来の映像表示装置では、第１の入力経路から第２の入力経路に切換えられたときに、ディスプレイに表示される映像が、第１の入力経路から入力される映像信号に基づく映像から、第２の入力経路から入力される映像信号に基づく映像に切換えられる。このようにして入力経路が切換えられ、第２の入力経路から入力された映像信号に基づく映像がディスプレイに表示された後に、そのディスプレイに表示された映像が、第２の入力経路に対応した表示条件に変更設定された映像に切換えられることになる。すなわち、従来の映像表示装置では、ディスプレイに表示される映像の切換えが、入力経路の切換え時と、表示条件の設定時とで行われることになり、スムーズな映像の表示とはならない。
【０００８】
したがって本発明の目的は、映像表示装置において１つの入力経路から入力される映像信号に基づく映像を、ユーザが所望する表示条件でディスプレイに表示させるときに、スムーズな映像の表示が実行可能な映像表示システム、および映像表示プログラムを提供することである。
【課題を解決するための手段】
【０００９】
本発明は、映像を表示するための映像信号の入力経路を複数有する映像表示装置と、該映像表示装置に指令信号を出力可能な遠隔操作装置とが、通信ネットワークを介して通信可能に接続される映像表示システムであって、
前記遠隔操作装置は、
前記複数の入力経路のうちのいずれか１つの入力経路を選択する指令信号である入力経路選択指令信号を生成する第１信号生成部と、
前記入力経路選択指令信号と関連付けて、前記映像表示装置における映像の表示条件を設定する指令信号である映像表示条件設定指令信号を生成する第２信号生成部と、
前記入力経路選択指令信号と前記映像表示条件設定指令信号とを出力する信号出力部と、を備え、
前記映像表示装置は、
映像を表示可能な表示画面を有する表示部と、
前記信号出力部から出力された前記入力経路選択指令信号と前記映像表示条件設定指令信号とを受信する信号受信部と、
前記信号受信部によって受信された前記入力経路選択指令信号に基づいて、前記複数の入力経路のうちのいずれか１つの入力経路を選択する入力経路選択部と、
前記信号受信部によって受信された前記映像表示条件設定指令信号に基づいて、前記入力経路選択部によって選択された１つの入力経路に対応する映像の表示条件を設定する表示条件設定部と、
前記入力経路選択部によって選択された１つの入力経路から入力される映像信号に基づく映像を、前記表示条件設定部によって予め設定された表示条件で前記表示画面に表示するように、前記表示部を制御する表示制御部と、を備えることを特徴とする映像表示システムである。
【００１０】
また本発明の映像表示システムにおいて、前記映像表示装置は、前記表示条件設定部によって設定された映像の表示条件を記憶する記憶部をさらに備え、
前記表示制御部は、前記記憶部に記憶された映像の表示条件に対応する１つの入力経路が前記入力経路選択部によって選択されたときに、前記記憶部に記憶された映像の表示条件を前記記憶部から取出して、前記１つの入力経路から入力される映像信号に基づく映像を、前記記憶部から取出した映像の表示条件で前記表示画面に表示するように、前記表示部を制御することを特徴とする。
【００１１】
また本発明の映像表示システムにおいて、前記映像表示条件設定指令信号は、映像の表示条件として、映像の明るさに関する条件、および映像の大きさに関する条件の少なくともいずれか１つの条件を設定する指令信号であることを特徴とする。
【００１２】
また本発明は、前記映像表示システムとしてコンピュータを機能させるための映像表示プログラムである。
【発明の効果】
【００１３】
本発明によれば、映像表示システムは、映像表示装置と、該映像表示装置に指令信号を出力可能な遠隔操作装置とが、通信ネットワークを介して通信可能に接続されたシステムである。映像表示システムにおいて、映像表示装置は、映像を表示するための映像信号の入力経路を複数有する。
【００１４】
遠隔操作装置は、第１信号生成部と、第２信号生成部と、信号出力部とを備える。第１信号生成部は、映像表示装置が備える複数の入力経路のうちのいずれか１つの入力経路を選択する指令信号である入力経路選択指令信号を生成する。第２信号生成部は、映像表示装置における映像の表示条件を設定する指令信号である映像表示条件設定指令信号を生成する。信号出力部は、前記入力経路選択指令信号と前記映像表示条件設定指令信号とを出力する。
【００１５】
映像表示装置は、前記複数の入力経路と、映像を表示可能な表示画面を有する表示部と、遠隔操作装置の信号出力部から出力された指令信号を受信する信号受信部と、入力経路選択部と、表示条件設定部と、表示制御部とを備える。入力経路選択部は、信号受信部によって受信された入力経路選択指令信号に基づいて、複数の入力経路のうちのいずれか１つの入力経路を選択する。表示条件設定部は、信号受信部によって受信された映像表示条件設定指令信号に基づいて、入力経路選択部によって選択された１つの入力経路に対応する映像の表示条件を設定する。そして、表示制御部は、入力経路選択部によって選択された１つの入力経路から入力される映像信号に基づく映像を、表示条件設定部によって予め設定された表示条件で表示画面に表示するように、表示部を制御する。
【００１６】
上記のように構成される映像表示システムでは、遠隔操作装置の信号出力部から出力された指令信号に基づいて、映像表示装置は、表示条件設定部によって映像の表示条件を予め設定した後、その設定された表示条件で、１つの入力経路から入力される映像信号に基づく映像を、表示部の表示画面に表示するので、スムーズな映像の表示が可能である。
【００１７】
たとえば、映像表示装置において、映像信号が入力される入力経路を第１の入力経路から第２の入力経路に切換えて、その第２の入力経路に対応した表示条件で映像を表示画面に表示させる場合、従来の映像表示装置では、第１の入力経路から第２の入力経路に切換えられたときに、表示画面に表示される映像が、第１の入力経路から入力される映像信号に基づく映像から、第２の入力経路から入力される映像信号に基づく映像に切換えられる。このようにして入力経路が切換えられ、第２の入力経路から入力された映像信号に基づく映像が表示画面に表示された後に、その表示画面に表示された映像が、第２の入力経路に対応した表示条件に変更設定された映像に切換えられることになる。すなわち、従来の映像表示装置では、表示画面に表示される映像の切換えが、入力経路の切換え時と、表示条件の設定時とで行われることになり、スムーズな映像の表示とはならない。
【００１８】
これに対して、本発明の映像表示システムでは、映像表示装置において、映像信号が入力される入力経路を第１の入力経路から第２の入力経路に切換えて、その第２の入力経路に対応した表示条件で映像を表示画面に表示させる場合、映像表示装置は、遠隔操作装置から出力された入力経路選択指令信号に基づいて入力経路選択部によって第２の入力経路を選択し、その選択された第２の入力経路から入力される映像信号に基づく映像を、映像表示条件設定指令信号に基づいて表示条件設定部によって予め設定された第２の入力経路に対応する表示条件で表示画面に表示させることができる。これによって、第２の入力経路から入力される映像信号に基づく、所望の表示条件に設定された映像を、１回の切換えで表示画面に表示させることができるので、スムーズな映像の表示が可能となる。
【００１９】
また本発明によれば、映像表示装置は、表示条件設定部によって設定された映像の表示条件を記憶する記憶部をさらに備える。そして、映像表示装置の表示制御部は、記憶部に記憶された表示条件に対応する１つの入力経路が入力経路選択部によって選択されたときに、記憶部に記憶された映像の表示条件を記憶部から取出して、前記１つの入力経路から入力される映像信号に基づく映像を、記憶部から取出した映像の表示条件で表示画面に表示するように、表示部を制御する。これによって、映像表示システムにおいて映像表示装置は、表示条件設定部によって設定された映像の表示条件を記憶部に一旦記憶しておき、入力経路選択部によって１つの入力経路が選択されたときに、記憶部に記憶された表示条件を反映させた映像を表示画面に表示することができる。
【００２０】
また本発明によれば、遠隔操作装置の第２信号生成部が生成する映像表示条件設定指令信号は、映像の明るさに関する条件、および映像の大きさに関する条件の少なくともいずれか１つの条件を、映像の表示条件として設定する指令信号である。これによって、映像表示システムにおいて映像表示装置は、入力経路選択部によって選択された１つの入力経路から入力される映像信号に基づく映像を、明るさ、大きさに関して予め設定された表示条件で表示画面に表示することができる。
【００２１】
また本発明によれば、映像表示プログラムは、前記映像表示システムとしてコンピュータを機能させるためのプログラムである。このような映像表示プログラムは、映像表示装置において１つの入力経路から入力される映像信号に基づく映像を、ユーザが所望する表示条件で表示部に表示させるときに、スムーズな映像の表示が実行可能な映像表示処理を、ソフトウェアで制御することができる。
【図面の簡単な説明】
【００２２】
【図１】本発明の実施形態に係る映像表示システム３００の構成を概略的に示す図である。
【図２】映像表示システム３００の構成を示すブロック図である。
【図３】映像表示装置１００の動作を説明するための図である。
【図４】従来技術の映像表示装置５００の動作を説明するための図である。
【図５】映像表示システム３００における映像表示装置１００の動作を示すフローチャートである。
【図６Ａ】映像表示装置１００におけるＩＮＰＳコマンド処理を示すフローチャートである。
【図６Ｂ】映像表示装置１００におけるＩＮＰＳコマンド処理を示すフローチャートである。
【図７Ａ】映像表示装置１００におけるＢＲＩＧコマンド処理を示すフローチャートである。
【図７Ｂ】映像表示装置１００におけるＢＲＩＧコマンド処理を示すフローチャートである。
【図７Ｃ】映像表示装置１００におけるＢＲＩＧコマンド処理を示すフローチャートである。
【図８Ａ】映像表示装置１００におけるＳＩＺＥコマンド処理を示すフローチャートである。
【図８Ｂ】映像表示装置１００におけるＳＩＺＥコマンド処理を示すフローチャートである。
【図８Ｃ】映像表示装置１００におけるＳＩＺＥコマンド処理を示すフローチャートである。
【発明を実施するための形態】
【００２３】
（映像表示システム）
図１は、本発明の実施形態に係る映像表示システム３００の構成を概略的に示す図である。図２は、映像表示システム３００の構成を示すブロック図である。本実施形態の映像表示システム３００は、映像表示装置１００と遠隔操作装置２００とが、通信ネットワーク２０５を介して通信可能に接続された表示システムである。
【００２４】
通信ネットワーク２０５としては、特に限定されず、たとえば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網などが利用可能である。また、通信ネットワーク２０５を構成する伝送媒体としては、特に限定されず、たとえば、ＩＥＥＥ１３９４、ＵＳＢ、電力線搬送、ケーブルＴＶ回線、電話線、ＡＤＳＬ回線などの有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網などの無線でも利用可能である。
【００２５】
＜遠隔操作装置＞
遠隔操作装置２００は、映像表示装置１００に指令信号を出力可能に構成されており、たとえば、パーソナルコンピュータなどによって実現される。遠隔操作装置２００は、シリアル通信用信号生成部２０１と信号出力部２０２とを備えている。
【００２６】
シリアル通信用信号生成部２０１は、第１信号生成部および第２信号生成部として機能し、指令信号としてのシリアル通信用信号を生成する。シリアル通信用信号生成部２０１が生成するシリアル通信用信号は、後述の映像表示装置１００に備えられる複数の入力経路となる第１入力端子２Ａおよび第２入力端子２Ｂのうちのいずれか１つの入力端子を選択する指令信号である入力経路選択指令信号と、映像表示装置１００における映像の表示条件を設定する指令信号である映像表示条件設定指令信号とを含む。
【００２７】
また、シリアル通信用信号生成部２０１が生成するシリアル通信用信号のフォーマットとしては、特に限定されず、ＡＳＣＩＩコード、バイナリコード、混合コードなどを利用したフォーマットが使用可能である。以下では、シリアル通信用信号のフォーマットが、ＡＳＣＩＩコードを利用したフォーマットであるとして説明する。
【００２８】
シリアル通信用信号生成部２０１は、たとえば、表１に示す通信フォーマットにおいて、表２に示すようなシリアル通信用信号を生成する。
【００２９】
【表１】
2013222005.tif 000003
【００３０】
【表２】
2013222005.tif 000004
【００３１】
シリアル通信用信号生成部２０１が生成するシリアル通信用信号のコマンド部は、映像表示装置１００を遠隔操作するための指令を定義する部分であり、４文字のＡＳＣＩＩコードである。本実施形態では、コマンド部には、「ＩＮＰＳ」、「ＢＲＩＧ」および「ＳＩＺＥ」の３つの指令が定義されている。「ＩＮＰＳ」は、映像表示装置１００に備えられる複数の入力経路となる第１入力端子２Ａおよび第２入力端子２Ｂのうちの１つの入力端子を選択する指令を表す。「ＢＲＩＧ」は、映像表示装置１００における映像の表示条件として明るさを設定する指令を表す。「ＳＩＺＥ」は、映像表示装置１００における映像の表示条件としてサイズ（大きさ）を設定する指令を表す。
【００３２】
シリアル通信用信号のパラメータ部は、０〜９９９９までの数値で表され、「００００」〜「９９９９」の４文字のＡＳＣＩＩコードである。本実施形態では、パラメータ部には、「ＩＮＰＳ」コマンドに対して「０００１」および「０００２」の指令が定義されている。「ＩＮＰＳ」コマンドに対して定義された「０００１」は、映像表示装置１００に備えられる複数の入力経路となる第１入力端子２Ａおよび第２入力端子２Ｂのうちの第１入力端子２Ａを選択する指令を表す。「ＩＮＰＳ」コマンドに対して定義された「０００２」は、映像表示装置１００に備えられる複数の入力経路となる第１入力端子２Ａおよび第２入力端子２Ｂのうちの第２入力端子２Ｂを選択する指令を表す。
【００３３】
また、本実施形態では、パラメータ部には、「ＢＲＩＧ」コマンドに対して、たとえば「００００」〜「０１００」の指令が定義されている。たとえば、「ＢＲＩＧ」コマンドに対して定義された「０１００」は、映像表示装置１００における映像の表示条件として明るさを「１００」に設定する指令を表す。
【００３４】
また、本実施形態では、パラメータ部には、「ＳＩＺＥ」コマンドに対して「００００」および「０００１」の指令が定義されている。「ＳＩＺＥ」コマンドに対して定義された「００００」は、映像表示装置１００における映像の表示条件として映像のサイズ（大きさ）をノーマルサイズに設定する指令を表す。「ＳＩＺＥ」コマンドに対して定義された「０００１」は、映像表示装置１００における映像の表示条件として映像のサイズ（大きさ）をワイドサイズに設定する指令を表す。
【００３５】
シリアル通信用信号のオプション部は、省略（無効）可能とし、省略しない場合（有効）の最初の一文字は「＠」に固定し、残りの部分はオプション動作を定義する０〜９までの数値で表される、「０」〜「９」の１文字のＡＳＣＩＩコードである。本実施形態では、オプション部には、「０」、「１」および「２」の３つの指令が定義されている。オプション部が「０」の指令信号は、コマンド部およびパラメータ部によって定義された指令（コマンド）が、設定予約コマンドとして動作することを表す。設定予約コマンドとは、映像表示装置１００における映像の表示条件を、第１入力端子２Ａおよび第２入力端子２Ｂのうちの１つの入力端子と関連付けて予約（予め記憶）しておいて、その予約した表示条件に対応する入力端子に対して映像信号の入力指令がなされたときに、予約した表示条件を反映させる指令である。
【００３６】
また、オプション部が「１」の指令信号は、コマンド部およびパラメータ部によって定義された指令（コマンド）に基づく、映像表示装置１００における映像の表示条件に関する設定値を、第１入力端子２Ａに対して設定する指令を表す。オプション部が「２」の指令信号は、コマンド部およびパラメータ部によって定義された指令（コマンド）に基づく、映像表示装置１００における映像の表示条件に関する設定値を、第２入力端子２Ｂに対して設定する指令を表す。
【００３７】
シリアル通信用信号の終端部は、信号の終端を表すものとして、改行コードで固定される。改行コードは、ＣＲ（キャリッジリターン、「０ｘ０Ｄ」）とＬＦ（ラインフィード、「０ｘ０Ａ」）とが組合されたものである。
【００３８】
たとえば、表２に示すように、通信フォーマットにおいて、コマンド部が「ＩＮＰＳ」、パラメータ部が「０００１」、オプション部が「無効」で表されるシリアル通信用信号は、入力経路選択指令信号となり、映像表示装置１００に備えられる複数の入力経路となる第１入力端子２Ａおよび第２入力端子２Ｂのうちの第１入力端子２Ａを選択する指令信号となる。また、通信フォーマットにおいて、コマンド部が「ＩＮＰＳ」、パラメータ部が「０００２」、オプション部が「無効」で表されるシリアル通信用信号は、入力経路選択指令信号となり、映像表示装置１００に備えられる複数の入力経路となる第１入力端子２Ａおよび第２入力端子２Ｂのうちの第２入力端子２Ｂを選択する指令信号となる。
【００３９】
通信フォーマットにおいて、コマンド部が「ＢＲＩＧ」、パラメータ部が「００００」〜「０１００」、オプション部が「０」で表されるシリアル通信用信号は、映像表示条件設定指令信号となり、映像表示装置１００における映像の表示条件として明るさをパラメータ部の値に設定する指令信号となる。たとえば、パラメータ部が「０１００」の場合には、明るさを「１００」に設定する指令信号となる。
【００４０】
通信フォーマットにおいて、コマンド部が「ＢＲＩＧ」、パラメータ部が「００００」〜「０１００」、オプション部が「１」で表されるシリアル通信用信号は、映像表示条件設定指令信号となり、第１入力端子２Ａに対して明るさをパラメータ部の値に設定する指令信号となる。たとえば、パラメータ部が「０１００」の場合には、明るさを「１００」に設定する指令信号となる。
【００４１】
通信フォーマットにおいて、コマンド部が「ＢＲＩＧ」、パラメータ部が「００００」〜「０１００」、オプション部が「２」で表されるシリアル通信用信号は、映像表示条件設定指令信号となり、第２入力端子２Ｂに対して明るさをパラメータ部の値に設定する指令信号となる。たとえば、パラメータ部が「０１００」の場合には、明るさを「１００」に設定する指令信号となる。
【００４２】
通信フォーマットにおいて、コマンド部が「ＳＩＺＥ」、パラメータ部が「００００」、オプション部が「０」で表されるシリアル通信用信号は、映像表示条件設定指令信号となり、映像表示装置１００における映像の表示条件として映像の大きさをノーマルサイズに設定する指令信号となる。
【００４３】
通信フォーマットにおいて、コマンド部が「ＳＩＺＥ」、パラメータ部が「００００」、オプション部が「１」で表されるシリアル通信用信号は、映像表示条件設定指令信号となり、第１入力端子２Ａに対して映像の大きさをノーマルサイズに設定する指令信号となる。
【００４４】
通信フォーマットにおいて、コマンド部が「ＳＩＺＥ」、パラメータ部が「００００」、オプション部が「２」で表されるシリアル通信用信号は、映像表示条件設定指令信号となり、第２入力端子２Ｂに対して映像の大きさをノーマルサイズに設定する指令信号となる。
【００４５】
通信フォーマットにおいて、コマンド部が「ＳＩＺＥ」、パラメータ部が「０００１」、オプション部が「０」で表されるシリアル通信用信号は、映像表示条件設定指令信号となり、映像表示装置１００における映像の表示条件として映像の大きさをワイドサイズに設定する指令信号となる。
【００４６】
通信フォーマットにおいて、コマンド部が「ＳＩＺＥ」、パラメータ部が「０００１」、オプション部が「１」で表されるシリアル通信用信号は、映像表示条件設定指令信号となり、第１入力端子２Ａに対して映像の大きさをワイドサイズに設定する指令信号となる。
【００４７】
通信フォーマットにおいて、コマンド部が「ＳＩＺＥ」、パラメータ部が「０００１」、オプション部が「２」で表されるシリアル通信用信号は、映像表示条件設定指令信号となり、第２入力端子２Ｂに対して映像の大きさをワイドサイズに設定する指令信号となる。
【００４８】
信号出力部２０２は、シリアル通信用信号生成部２０１が生成したシリアル通信用信号を出力する。信号出力部２０２から出力されたシリアル通信用信号は、通信ネットワーク２０５を介して、映像表示装置１００の信号受信部であるシリアル通信処理部７に入力される。
【００４９】
＜映像表示装置＞
映像表示装置１００は、たとえば、公共の場に設置されるインフォメーションディスプレイである。映像表示装置１００は、映像を表示するための映像信号の入力経路となる複数の入力端子として、第１入力端子２Ａおよび第２入力端子２Ｂを備える。
【００５０】
第１入力端子２Ａおよび第２入力端子２Ｂには、それぞれ、映像信号を出力可能な外部機器が接続されている。外部機器としては、たとえば、ＤＶＤプレーヤ、ハードディスクレコーダ（ＨＤＤ）、ビデオテープレコーダ（ＶＴＲ）、ビデオカメラなどの録画再生機器、パーソナルコンピュータなどを挙げることができる。図１に示す例では、第１入力端子２Ａにパーソナルコンピュータである第１外部機器５０Ａが接続され、第２入力端子２Ｂに録画再生機器である第２外部機器５０Ｂが接続されている。第１外部機器５０Ａから出力された映像信号は、第１入力端子２Ａを介して映像表示装置１００に入力される。また、第２外部機器５０Ｂから出力された映像信号は、第２入力端子２Ｂを介して映像表示装置１００に入力される。
【００５１】
なお、第１入力端子２Ａまたは第２入力端子２Ｂを介して映像表示装置１００に入力される映像信号の形式は、（１）１線式のＹ／Ｃ信号、（２）２線式のＹ／Ｃ信号、（３）３線式のＹＵＶ信号、（４）３線式のＲＧＢ信号、（５）ＲＧＢ３線式信号に同期信号１線を加えた信号、（６）ＲＧＢ３線式信号に同期信号２線を加えた信号、（７）ＹＵＶ３線式信号に同期信号１線を加えた信号、（８）ＹＵＶ３線式信号に同期信号２線を加えた信号と、（９）上記（５）〜（８）をエンコードした信号（ＴＭＤＳなど）のいずれか１つである。
【００５２】
ここで、Ｙ／Ｃ信号とは輝度信号（Ｙ）と色信号（Ｃ）のコンポジット信号である。表示部１で表示する際には、Ｙ／Ｃ信号を分離して映像を再現する。またＹＵＶは、輝度信号（Ｙ）と、輝度信号と青色成分の差（Ｕ）と、輝度信号と赤色成分の差（Ｖ）の３つの情報で色を表すものである。ＲＧＢ信号は、色を赤（Ｒ）、緑（Ｇ）、青（Ｂ）の３つの組み合わせとして表現するものである。
【００５３】
映像表示装置１００は、さらに、表示部１と、入力経路選択部として機能する映像信号処理部３と、表示条件設定部として機能する映像信号出力処理部４およびスケーリング処理部５と、内部パターン制御部６と、シリアル通信処理部７と、ＩＲ信号処理部８と、内部記憶部９と、外部記憶部１０と、表示用・表示処理用一時記憶部１１と、中央演算部１２と、表示制御部として機能する表示処理部１３とを備える。
【００５４】
中央演算部１２は、映像表示装置１００の全体を制御する部分であり、外部記憶部１０に記憶された、映像表示システム３００を動作させるための映像表示プログラムを読み取り、該映像表示プログラムを実行することにより、映像表示装置１００の動作を実現するための制御部分である。中央演算部１２は、マイクロプロセッサ（Microprocessor）、プログラミングすることができるＬＳＩ（Large Scale Integration）であるＦＰＧＡ（Field Programmable Gate Array）、特定用途のために設計、製造される集積回路であるＡＳＩＣ（Application Specific Integrated Circuit）、その他の演算機能を有する回路のいずれであってもよい。
【００５５】
表示部１は、たとえば、液晶ディスプレイ、ＥＬ（ElectroLuminescence）ディスプレイ、プラズマディスプレイなどである。この表示部１は、後述する表示処理部１３によって制御され、映像を表示する表示画面１０１を有する。
【００５６】
シリアル通信処理部７は、遠隔操作装置２００と信号を送受信する部分であり、遠隔操作装置２００の信号出力部２０２から出力されたシリアル通信用信号を受信する信号受信部としての機能を有する。シリアル通信処理部７は、受信したシリアル通信用信号について、デコ−ドを行い、バイナリデータまたは文字データへ変換を行って中央演算部１２に送る。また、シリアル通信処理部７は、遠隔操作装置２００から受信したシリアル通信用信号に基づく映像表示処理が正常に実行できたか否かを表す処理判断結果信号を遠隔操作装置２００に送信する。この処理判断結果信号は、中央演算部１２によって生成される。中央演算部１２は、表３，４に示すような処理判断結果信号を生成する。
【００５７】
【表３】
2013222005.tif 000005
【００５８】
【表４】
2013222005.tif 000006
【００５９】
中央演算部１２は、遠隔操作装置２００から受信したシリアル通信用信号に基づく映像表示処理が正常に実行できたと判断した場合には、表３に示すような、コマンド部に「ＯＫ」が定義された処理判断結果信号を生成する。また、中央演算部１２は、遠隔操作装置２００から受信したシリアル通信用信号に基づく映像表示処理が正常に実行できなかったと判断した場合には、表４に示すような、コマンド部に「ＥＲＲ」が定義された処理判断結果信号を生成する。
【００６０】
シリアル通信処理部７は、中央演算部１２によって生成された、バイナリデータまたは文字データからなる処理判断結果信号を中央演算部１２から受け取り、エンコードを行い、遠隔操作装置２００に送信する。
【００６１】
映像信号処理部３は、シリアル通信処理部７によって受信されたシリアル通信用信号に基づいて、映像信号の入力経路となる第１入力端子２Ａおよび第２入力端子２Ｂのうちのいずれか１つの入力端子を選択する機能を有する。そして、映像信号処理部３は、第１入力端子２Ａまたは第２入力端子２Ｂから入力された映像信号に対して、ＲＧＢ信号またはＹＵＶ信号と、水平同期信号および垂直同期信号に分離する処理を行う。
【００６２】
映像信号処理部３は、コマンド部が「ＩＮＰＳ」、パラメータ部が「０００１」、オプション部が「無効」のシリアル通信用信号が受信された場合に、映像信号の入力経路として第１入力端子２Ａを選択する。また、映像信号処理部３は、コマンド部が「ＩＮＰＳ」、パラメータ部が「０００２」、オプション部が「無効」のシリアル通信用信号が受信された場合に、映像信号の入力経路として第２入力端子２Ｂを選択する。
【００６３】
映像信号出力処理部４は、シリアル通信処理部７によって受信されたシリアル通信用信号に基づいて、映像信号処理部３によって選択された１つの入力端子（第１入力端子２Ａまたは第２入力端子２Ｂ）に対応する映像の表示条件（映像の明るさ）を設定する機能を有する。映像信号出力処理部４は、入力された映像信号に対して、時間的、空間的にフィルタリングを行うことによって、表示条件の異なる映像に変更を加える処理を行う。
【００６４】
映像信号出力処理部４は、たとえば、コマンド部が「ＢＲＩＧ」、パラメータ部が「０１００」、オプション部が「０」のシリアル通信用信号が受信された場合に、映像表示装置１００における映像の表示条件として明るさを「１００」に設定する。また、映像信号出力処理部４は、たとえば、コマンド部が「ＢＲＩＧ」、パラメータ部が「０１００」、オプション部が「１」のシリアル通信用信号が受信された場合に、第１入力端子２Ａから入力される映像信号に基づく映像の明るさを「１００」に設定する。また、映像信号出力処理部４は、たとえば、コマンド部が「ＢＲＩＧ」、パラメータ部が「０１００」、オプション部が「２」のシリアル通信用信号が受信された場合に、第２入力端子２Ｂから入力される映像信号に基づく映像の明るさを「１００」に設定する。
【００６５】
スケーリング処理部５は、シリアル通信処理部７によって受信されたシリアル通信用信号に基づいて、映像信号処理部３によって選択された１つの入力端子（第１入力端子２Ａまたは第２入力端子２Ｂ）に対応する映像の表示条件（映像の大きさ）を設定する機能を有する。スケーリング処理部５は、映像信号出力処理部４によって処理が加えられた映像信号を、任意の拡大率を以って拡大または縮小処理をする部分である。
【００６６】
スケーリング処理部５は、たとえば、コマンド部が「ＳＩＺＥ」、パラメータ部が「００００」、オプション部が「０」のシリアル通信用信号が受信された場合に、映像表示装置１００における映像の表示条件として映像の大きさをノーマルサイズに設定する。また、スケーリング処理部５は、たとえば、コマンド部が「ＳＩＺＥ」、パラメータ部が「００００」、オプション部が「１」のシリアル通信用信号が受信された場合に、第１入力端子２Ａから入力される映像信号に基づく映像の大きさをノーマルサイズに設定する。また、スケーリング処理部５は、たとえば、コマンド部が「ＳＩＺＥ」、パラメータ部が「００００」、オプション部が「２」のシリアル通信用信号が受信された場合に、第２入力端子２Ｂから入力される映像信号に基づく映像の大きさをノーマルサイズに設定する。
【００６７】
内部パターン制御部６は、映像信号を入力することなしに、任意の映像および同期信号を生成して表示部１に送る機能、および、これを制御する機能を持つ部分である。ここで生成する内部パターンは、外部記憶部１０に記憶された特定パターンやメニュー、あるいは情報であり、これらを使用して表示することができる。
【００６８】
ＩＲ信号処理部８は、リモコンなどによって実現されるＩＲ信号送信装置２５０から入力されるＩＲ（赤外線）信号を受信し、その受信したＩＲ信号をデコードする。ＩＲ信号処理部８によってデコードされたデータは、中央演算部１２および内部パターン制御部６にて、メニューの制御に使用される。
【００６９】
内部記憶部９は、たとえばＲＡＭからなり、中央演算部１２によってアクセスされ、一時的にデータを記憶するワーキングメモリとして使用される。内部記憶部９には、映像信号が入力される入力端子として映像信号処理部３によって選択された入力端子（第１入力端子２Ａまたは第２入力端子２Ｂ）の情報、映像信号出力処理部４によって設定された映像の表示条件に関する情報が記憶される。これらの情報に関して、内部記憶部９に配置されるデータを表５，６に示す。
【００７０】
【表５】
2013222005.tif 000007
【００７１】
【表６】
2013222005.tif 000008
【００７２】
表５に示す「Ｉｎｐｕｔ」は、入力端子の設定値が格納される変数である。「Ｉｎｐｕｔ」が「０」の場合、映像信号が入力される入力端子として、映像信号処理部３によって第１入力端子２Ａが選択されたことを示し、「Ｉｎｐｕｔ」が「１」の場合、映像信号処理部３によって第２入力端子２Ｂが選択されたことを示す。
【００７３】
表６に示す「Ｂｒｉｇ＿Ｉｎ１」は、第１入力端子２Ａから入力される映像信号に基づく映像の明るさに関する設定値が格納される変数である。「Ｂｒｉｇ＿Ｉｎ２」は、第２入力端子２Ｂから入力される映像信号に基づく映像の明るさに関する設定値が格納される変数である。「Ｓｉｚｅ＿Ｉｎ１」は、第１入力端子２Ａから入力される映像信号に基づく映像の大きさに関する設定値が格納される変数である。「Ｓｉｚｅ＿Ｉｎ２」は、第２入力端子２Ｂから入力される映像信号に基づく映像の大きさに関する設定値が格納される変数である。
【００７４】
さらに、内部記憶部９には、設定予約コマンドの予約の有無に関する情報が一時記憶される。設定予約コマンドに関して、内部記憶部９に配置されるデータを表７，８に示す。
【００７５】
【表７】
2013222005.tif 000009
【００７６】
【表８】
2013222005.tif 000010
【００７７】
表７に示す「Ｂｒｉｇ＿ｒｓｖ」は、映像信号処理部３によって入力端子の選択がなされたときに反映させる、映像の明るさに関する設定値が格納される変数である。「Ｓｉｚｅ＿ｒｓｖ」は、映像信号処理部３によって入力端子の選択がなされたときに反映させる、映像の大きさに関する設定値が格納される変数である。「Ｂｒｉｇ＿ｒｓｖ＿ｆｌｇ」は、「Ｂｒｉｇ＿ｒｓｖ」変数に設定が予約されているか否かを表すフラグ変数である。「Ｓｉｚｅ＿ｒｓｖ＿ｆｌｇ」は、「Ｓｉｚｅ＿ｒｓｖ」変数に設定が予約されているか否かを表すフラグ変数である。
【００７８】
表８に示す「Ｂｒｉｇ＿Ｉｎ１＿ｃｈｇ＿ｆｌｇ」は、第１入力端子２Ａから入力される映像信号に基づく映像の明るさの設定が予約された後、その設定の変更が実施されたか否かを表すフラグ変数である。「Ｂｒｉｇ＿Ｉｎ２＿ｃｈｇ＿ｆｌｇ」は、第２入力端子２Ｂから入力される映像信号に基づく映像の明るさの設定が予約された後、その設定の変更が実施されたか否かを表すフラグ変数である。「Ｓｉｚｅ＿Ｉｎ１＿ｃｈｇ＿ｆｌｇ」は、第１入力端子２Ａから入力される映像信号に基づく映像の大きさの設定が予約された後、その設定の変更が実施されたか否かを表すフラグ変数である。「Ｓｉｚｅ＿Ｉｎ２＿ｃｈｇ＿ｆｌｇ」は、第２入力端子２Ｂから入力される映像信号に基づく映像の大きさの設定が予約された後、その設定の変更が実施されたか否かを表すフラグ変数である。
【００７９】
外部記憶部１０は、中央演算部１２によってアクセスされる不揮発記憶領域である。外部記憶部１０には、映像表示システム３００を動作させるための映像表示プログラムが記憶されている。表示用・表示処理用一時記憶部１１は、たとえばフラッシュメモリやＲＡＭなどからなり、映像信号処理部３、映像信号出力処理部４、スケーリング処理部５、内部パターン制御部６、シリアル通信処理部７、および中央演算部１２が、映像表示処理および表示用加工処理を行うための一時記憶装置である。
【００８０】
表示処理部１３は、映像信号処理部３によって選択された１つの入力端子（第１入力端子２Ａまたは第２入力端子２Ｂ）から入力される映像信号に基づく映像を、映像信号出力処理部４およびスケーリング処理部５によって予め設定された表示条件で表示画面１０１に表示するように、表示部１を制御する。
【００８１】
以上のように構成される映像表示システム３００では、遠隔操作装置２００の信号出力部２０２から出力されたシリアル通信用信号に基づいて、映像表示装置１００は、映像信号出力処理部４およびスケーリング処理部５の少なくともいずれかの処理部によって、映像の明るさ、大きさを予め設定した後、その設定された表示条件で、１つの入力端子（第１入力端子２Ａまたは第２入力端子２Ｂ）から入力される映像信号に基づく映像を、表示部１の表示画面１０１に表示するので、スムーズな映像の表示が可能である。このことについて、図３，４を用いて説明する。図３は、映像表示装置１００の動作を説明するための図である。図４は、従来技術の映像表示装置５００の動作を説明するための図である。
【００８２】
たとえば、本実施形態の映像表示システム３００において、図３（ａ）に示すように、映像表示装置１００の第１入力端子２Ａから入力された映像信号に基づく映像Ｐ１が表示画面１０１に表示された状態で、映像信号が入力される入力端子を第１入力端子２Ａから第２入力端子２Ｂに切換えて、その第２入力端子２Ｂに対応した表示条件で映像を表示画面１０１に表示させる場合、映像表示装置１００は、遠隔操作装置２００から出力されたシリアル通信用信号（コマンド部が「ＩＮＰＳ」、パラメータ部が「０００２」の信号）に基づいて映像信号処理部３によって第２入力端子２Ｂを選択する。
【００８３】
映像信号処理部３によって第２入力端子２Ｂの選択処理が完了すると、図３（ｂ）に示すように、内部パターン制御部６は、映像信号の入力がなされない状態で、外部記憶部１０に記憶された特定パターンの映像（たとえば全面黒色パターン映像）を表示部１に送信し、その特定パターンの映像Ｐ２を表示画面１０１に表示させる。
【００８４】
そして、図３（ｃ）に示すように、たとえば、表示処理部１３は、第２入力端子２Ｂから入力される映像信号に基づく映像Ｐ３を、シリアル通信用信号（コマンド部が「ＢＲＩＧ」または「ＳＩＺＥ」、オプション部が「＠２」の信号）に基づいて映像信号出力処理部４およびスケーリング処理部５によって予め設定された第２入力端子２Ｂに対応する表示条件（シリアル通信用信号のパラメータ部で定義される条件）で表示画面１０１に表示させる。これによって、第２入力端子２Ｂから入力される映像信号に基づく、所望の表示条件に設定された映像Ｐ３を、１回の切換えで表示画面１０１に表示させることができるので、スムーズな映像の表示が可能となる。
【００８５】
これに対して、従来技術の映像表示装置５００では、図４（ａ）に示すように、映像表示装置５００の第１入力端子から入力された映像信号に基づく映像Ｐ１が表示画面５０１に表示された状態で、映像信号が入力される入力端子を第１入力端子から第２入力端子に切換えて、その第２入力端子に対応した表示条件で映像を表示画面５０１に表示させる場合、まず、図４（ｂ）に示すように、特定パターンの映像Ｐ２が表示画面５０１に表示される。
【００８６】
次に、図４（ｃ）に示すように、第１入力端子から第２入力端子に切換えられたときに、表示画面５０１に表示される映像が、第１入力端子から入力される映像信号に基づく映像から、第２入力端子から入力される映像信号に基づく映像Ｐ３に切換えられる。この時点では、表示画面５０１に表示される映像Ｐ３は、所望の表示条件で表示された状態ではない。次に、第２入力端子に対応した所望の表示条件の設定指令がなされたときに、図４（ｄ）に示すように、特定パターンの映像Ｐ４が表示画面５０１に表示される。そして、図４（ｅ）に示すように、第２入力端子に対応した表示条件に変更設定された映像Ｐ５に切換えられて、その映像Ｐ５が表示画面５０１に表示される。
【００８７】
このように、従来技術の映像表示装置５００では、入力端子が切換えられ、第２入力端子から入力された映像信号に基づく映像Ｐ３が表示画面５０１に表示された後に、第２入力端子に対応した表示条件に変更設定された映像Ｐ５に切換えられることになる。すなわち、従来の映像表示装置５００では、表示画面５０１に表示される映像の切換えが、入力端子の切換え時と、表示条件の設定時とで行われることになり、スムーズな映像の表示とはならない。
【００８８】
また、本実施形態の映像表示システム３００では、遠隔操作装置２００から、コマンド部が「ＢＲＩＧ」または「ＳＩＺＥ」でオプション部が「＠０」のシリアル通信用信号が出力された場合、そのシリアル通信用信号に基づいて、映像表示装置１００において設定予約コマンドが実行されて、内部記憶部９において「Ｂｒｉｇ＿ｒｓｖ＿ｆｌｇ」または「Ｓｉｚｅ＿ｒｓｖ＿ｆｌｇ」が設定され、シリアル通信用信号のパラメータ部で定義される映像の表示条件が、「Ｂｒｉｇ＿ｒｓｖ」または「Ｓｉｚｅ＿ｒｓｖ」に予約設定される。
【００８９】
このようにして設定予約コマンドが設定された映像表示装置１００では、表示処理部１３は、映像信号処理部３によって１つの入力端子（第１入力端子２Ａまたは第２入力端子２Ｂ）が選択されたときに、シリアル通信用信号のパラメータ部のパラメータ値が予約設定された「Ｂｒｉｇ＿ｒｓｖ」または「Ｓｉｚｅ＿ｒｓｖ」を内部記憶部９から取出す。そして、表示処理部１３は、前記１つの入力端子から入力される映像信号に基づく映像を、内部記憶部９から取出した「Ｂｒｉｇ＿ｒｓｖ」または「Ｓｉｚｅ＿ｒｓｖ」の表示条件で表示画面１０１に表示するように、表示部１を制御する。これによって、映像表示システム３００において映像表示装置１００は、映像信号出力処理部４およびスケーリング処理部５によって設定された映像の表示条件を内部記憶部９に一旦記憶しておき、映像信号処理部３によって１つの入力端子が選択されたときに、内部記憶部９に記憶された表示条件を反映させた映像を表示画面１０１に表示することができる。
【００９０】
（映像表示システムの動作）
＜映像表示装置における全体的な映像表示処理＞
次に、本実施形態の映像表示システム３００の動作について説明する。図５は、映像表示システム３００における映像表示装置１００の動作を示すフローチャートである。
【００９１】
ステップｓ１では、シリアル通信処理部７は、遠隔操作装置２００の信号出力部２０２から出力されたシリアル通信用信号を受信する。次に、ステップｓ２では、シリアル通信処理部７は、受信したシリアル通信用信号が映像表示処理の指令（コマンド）を表す信号であるか否かを判断する。シリアル通信処理部７が映像表示処理の指令を表す信号であると判断した場合にはステップｓ３に進み、映像表示処理の指令を表す信号ではないと判断した場合にはステップｓ１に戻る。
【００９２】
ステップｓ３では、シリアル通信処理部７は、受信したシリアル通信用信号について、信号解析処理を行う。具体的には、シリアル通信処理部７は、シリアル通信用信号を、コマンド部、パラメータ部、およびオプション部のそれぞれに分解し、パラメータ部については数値化し、オプション部については「＠」を除いて数値化する。
【００９３】
次に、ステップｓ４では、シリアル通信処理部７は、コマンド部が「ＩＮＰＳ」であるか否かを判断する。シリアル通信処理部７が「ＩＮＰＳ」であると判断した場合にはステップｓ５に進み、「ＩＮＰＳ」ではないと判断した場合にはステップｓ６に進む。ステップｓ５では、映像表示装置１００においてＩＮＰＳコマンド処理が実行される。ＩＮＰＳコマンド処理は、映像信号出力処理部４およびスケーリング処理部５の少なくともいずれかの処理部によって、映像の明るさ、大きさを予め設定した後、その設定された表示条件で、１つの入力端子（第１入力端子２Ａまたは第２入力端子２Ｂ）から入力される映像信号に基づく映像を、表示部１の表示画面１０１に表示する処理である。このＩＮＰＳコマンド処理の詳細については後述する。
【００９４】
ステップｓ６では、シリアル通信処理部７は、コマンド部が「ＢＲＩＧ」であるか否かを判断する。シリアル通信処理部７が「ＢＲＩＧ」であると判断した場合にはステップｓ７に進み、「ＢＲＩＧ」ではないと判断した場合にはステップｓ８に進む。ステップｓ７では、映像表示装置１００においてＢＲＩＧコマンド処理が実行される。ＢＲＩＧコマンド処理は、映像の明るさの設定に関する処理である。このＢＲＩＧコマンド処理の詳細については後述する。
【００９５】
ステップｓ８では、シリアル通信処理部７は、コマンド部が「ＳＩＺＥ」であるか否かを判断する。シリアル通信処理部７が「ＳＩＺＥ」であると判断した場合にはステップｓ９に進み、「ＳＩＺＥ」ではないと判断した場合にはステップｓ１０に進む。ステップｓ９では、映像表示装置１００においてＳＩＺＥコマンド処理が実行される。ＳＩＺＥコマンド処理は、映像の大きさの設定に関する処理である。このＳＩＺＥコマンド処理の詳細については後述する。
【００９６】
ステップｓ１０では、中央演算部１２は、ステップｓ１においてシリアル通信処理部７が受信したシリアル通信用信号に基づく映像表示処理が正常に実行できなかったと判断し、コマンド部に「ＥＲＲ」が定義された処理判断結果信号（ＥＲＲ改行コードデータ）を遠隔操作装置２００に送信し、映像表示装置１００における映像表示処理を終了する。
【００９７】
ステップｓ５におけるＩＮＰＳコマンド処理、ステップｓ７におけるＢＲＩＧコマンド処理、ステップｓ９におけるＳＩＺＥコマンド処理が実行された後のステップｓ１１では、中央演算部１２は、上記の各コマンド処理が正常に処理できたか否かを判断する。中央演算部１２が各コマンド処理が正常に処理できたと判断した場合にはステップｓ１２に進み、各コマンド処理が正常に処理できなかったと判断した場合にはステップｓ１０に戻る。
【００９８】
ステップｓ１２では、中央演算部１２は、シリアル通信処理部７が受信したシリアル通信用信号に基づく映像表示処理が正常に実行できたと判断し、コマンド部に「ＯＫ」が定義された処理判断結果信号（ＯＫ改行コードデータ）を遠隔操作装置２００に送信し、映像表示装置１００における映像表示処理を終了する。
【００９９】
＜映像表示装置におけるＩＮＰＳコマンド処理＞
図６Ａ，６Ｂは、映像表示装置１００におけるＩＮＰＳコマンド処理を示すフローチャートである。
【０１００】
ステップａ１では、シリアル通信処理部７は、前述のステップｓ３においてシリアル通信用信号に対する信号解析処理を行ったことで得られる、パラメータ部を数値化したパラメータが「１」であるか否かを判断する。シリアル通信処理部７がパラメータは「１」であると判断した場合にはステップａ２に進み、パラメータは「１」ではないと判断した場合にはステップａ３に進む。
【０１０１】
ステップａ２では、コマンド部が「ＩＮＰＳ」で、パラメータ部が「０００１」のシリアル通信用信号に基づいて、ステップａ１においてパラメータが「１」に設定された場合に、映像信号処理部３は、映像信号が入力される入力端子として第１入力端子２Ａ（入力１）を選択する（内部記憶部９に格納された「Ｉｎｐｕｔ」を「０」に設定する）。
【０１０２】
ステップａ３では、シリアル通信処理部７は、前述のステップｓ３においてシリアル通信用信号に対する信号解析処理を行ったことで得られる、パラメータ部を数値化したパラメータが「２」であるか否かを判断する。シリアル通信処理部７がパラメータは「２」であると判断した場合にはステップａ４に進み、パラメータは「２」ではないと判断した場合にはＩＮＰＳコマンド処理に関して処理すべき内容がないと判断して映像表示処理を終了する。
【０１０３】
ステップａ４では、コマンド部が「ＩＮＰＳ」で、パラメータ部が「０００２」のシリアル通信用信号に基づいて、ステップａ３においてパラメータが「２」に設定された場合に、映像信号処理部３は、映像信号が入力される入力端子として第２入力端子２Ｂ（入力２）を選択する（内部記憶部９に格納された「Ｉｎｐｕｔ」を「１」に設定する）。
【０１０４】
次に、映像信号が入力される入力端子として、ステップａ２において第１入力端子２Ａが選択された、または、ステップａ４において第２入力端子２Ｂが選択された場合に、ステップａ５では、内部パターン制御部６は、映像信号の入力がなされない状態で、外部記憶部１０に記憶された特定パターンの映像（たとえば全面黒色パターン映像）を表示部１に送信し、その特定パターンの映像を表示画面１０１に表示させる。
【０１０５】
次に、ステップａ６では、中央演算部１２は、映像信号を受信する入力端子を、内部記憶部９の「Ｉｎｐｕｔ」に格納された値に対応する入力端子に設定する。中央演算部１２は、ステップａ２において第１入力端子２Ａが選択された場合には、映像信号を受信する入力端子として第１入力端子２Ａを設定する。また、中央演算部１２は、ステップａ４において第２入力端子２Ｂが選択された場合には、映像信号を受信する入力端子として第２入力端子２Ｂを設定する。
【０１０６】
次に、ステップａ７では、中央演算部１２は、内部記憶部９に格納される「Ｂｒｉｇ＿ｒｓｖ」変数に設定が予約されているか否かを表すフラグ変数である「Ｂｒｉｇ＿ｒｓｖ＿ｆｌｇ」が「１」であるか否かを判断する。ここで、「Ｂｒｉｇ＿ｒｓｖ＿ｆｌｇ」が「１」である場合、「Ｂｒｉｇ＿ｒｓｖ」変数に設定が予約されていることを表し、「Ｂｒｉｇ＿ｒｓｖ＿ｆｌｇ」が「０」である場合、「Ｂｒｉｇ＿ｒｓｖ」変数に設定が予約されていないことを表す。なお、シリアル通信処理部７が、コマンド部が「ＢＲＩＧ」、オプション部が「０」のシリアル通信用信号を受信した場合には、「Ｂｒｉｇ＿ｒｓｖ＿ｆｌｇ」が「１」となる。中央演算部１２が、「Ｂｒｉｇ＿ｒｓｖ＿ｆｌｇ」は「１」であると判断した場合にはステップａ８に進み、「Ｂｒｉｇ＿ｒｓｖ＿ｆｌｇ」は「１」ではないと判断した場合にはステップａ１１に進む。
【０１０７】
ステップａ８では、中央演算部１２は、「１」に設定されていた「Ｂｒｉｇ＿ｒｓｖ＿ｆｌｇ」を「０」にして、予約設定フラグをクリアする。次に、ステップａ９では、中央演算部１２は、「Ｉｎｐｕｔ」が「０」でありかつ「Ｂｒｉｇ＿Ｉｎ１＿ｃｈｇ＿ｆｌｇ」が設定されていない「０」である、または、「Ｉｎｐｕｔ」が「１」でありかつ「Ｂｒｉｇ＿Ｉｎ２＿ｃｈｇ＿ｆｌｇ」が設定されていない「０」である条件を満たしているか否かを判断する。中央演算部１２が上記いずれかの条件を満たしていると判断した場合にはステップａ１０に進み、上記いずれの条件も満たしていないと判断した場合にはステップａ１１に進む。
【０１０８】
ステップａ１０では、中央演算部１２は、予約された映像の明るさに関する設定を反映させる。具体的には、中央演算部１２は、「Ｉｎｐｕｔ」が「０」である場合に、第１入力端子２Ａから入力される映像信号に基づく映像の明るさが予約設定された値を反映するように、第１入力端子２Ａに対する表示条件を設定する（「Ｂｒｉｇ＿Ｉｎ１」を「Ｂｒｉｇ＿ｒｓｖ」に設定する）。また、中央演算部１２は、「Ｉｎｐｕｔ」が「１」である場合に、第２入力端子２Ｂから入力される映像信号に基づく映像の明るさが予約設定された値を反映するように、第２入力端子２Ｂに対する表示条件を設定する（「Ｂｒｉｇ＿Ｉｎ２」を「Ｂｒｉｇ＿ｒｓｖ」に設定する）。なお、「Ｂｒｉｇ＿ｒｓｖ」の設定値の算出処理方法については、ＢＲＩＧコマンド処理として後述する。中央演算部１２が、上記のようにして予約された映像の明るさに関する設定を反映させることを完了すると、ステップａ１１に進む。
【０１０９】
ステップａ１１では、中央演算部１２は、「Ｂｒｉｇ＿Ｉｎ１＿ｃｈｇ＿ｆｌｇ」および「Ｂｒｉｇ＿Ｉｎ２＿ｃｈｇ＿ｆｌｇ」を「０」に設定し、各フラグ変数を初期化する。
【０１１０】
次に、ステップａ１２では、中央演算部１２は、内部記憶部９に格納される「Ｓｉｚｅ＿ｒｓｖ」変数に設定が予約されているか否かを表すフラグ変数である「Ｓｉｚｅ＿ｒｓｖ＿ｆｌｇ」が「１」であるか否かを判断する。ここで、「Ｓｉｚｅ＿ｒｓｖ＿ｆｌｇ」が「１」である場合、「Ｓｉｚｅ＿ｒｓｖ」変数に設定が予約されていることを表し、「Ｓｉｚｅ＿ｒｓｖ＿ｆｌｇ」が「０」である場合、「Ｓｉｚｅ＿ｒｓｖ」変数に設定が予約されていないことを表す。なお、シリアル通信処理部７が、コマンド部が「ＳＩＺＥ」、オプション部が「０」のシリアル通信用信号を受信した場合には、「Ｓｉｚｅ＿ｒｓｖ＿ｆｌｇ」が「１」となる。中央演算部１２が、「Ｓｉｚｅ＿ｒｓｖ＿ｆｌｇ」は「１」であると判断した場合にはステップａ１３に進み、「Ｓｉｚｅ＿ｒｓｖ＿ｆｌｇ」は「１」ではないと判断した場合にはステップａ１６に進む。
【０１１１】
ステップａ１３では、中央演算部１２は、「１」に設定されていた「Ｓｉｚｅ＿ｒｓｖ＿ｆｌｇ」を「０」にして、予約設定フラグをクリアする。次に、ステップａ１４では、中央演算部１２は、「Ｉｎｐｕｔ」が「０」でありかつ「Ｓｉｚｅ＿Ｉｎ１＿ｃｈｇ＿ｆｌｇ」が設定されていない「０」である、または、「Ｉｎｐｕｔ」が「１」でありかつ「Ｓｉｚｅ＿Ｉｎ２＿ｃｈｇ＿ｆｌｇ」が設定されていない「０」である条件を満たしているか否かを判断する。中央演算部１２が上記いずれかの条件を満たしていると判断した場合にはステップａ１５に進み、上記いずれの条件も満たしていないと判断した場合にはステップａ１６に進む。
【０１１２】
ステップａ１５では、中央演算部１２は、予約された映像の大きさに関する設定を反映させる。具体的には、中央演算部１２は、「Ｉｎｐｕｔ」が「０」である場合に、第１入力端子２Ａから入力される映像信号に基づく映像の大きさが予約設定された値を反映するように、第１入力端子２Ａに対する表示条件を設定する（「Ｓｉｚｅ＿Ｉｎ１」を「Ｓｉｚｅ＿ｒｓｖ」に設定する）。また、中央演算部１２は、「Ｉｎｐｕｔ」が「１」である場合に、第２入力端子２Ｂから入力される映像信号に基づく映像の大きさが予約設定された値を反映するように、第２入力端子２Ｂに対する表示条件を設定する（「Ｓｉｚｅ＿Ｉｎ２」を「Ｓｉｚｅ＿ｒｓｖ」に設定する）。なお、「Ｓｉｚｅ＿ｒｓｖ」の設定値の算出処理方法については、ＳＩＺＥコマンド処理として後述する。中央演算部１２が、上記のようにして予約された映像の大きさに関する設定を反映させることを完了すると、ステップａ１６に進む。
【０１１３】
ステップａ１６では、中央演算部１２は、「Ｓｉｚｅ＿Ｉｎ１＿ｃｈｇ＿ｆｌｇ」および「Ｓｉｚｅ＿Ｉｎ２＿ｃｈｇ＿ｆｌｇ」を「０」に設定し、各フラグ変数を初期化する。
【０１１４】
次に、ステップａ１７では、映像信号出力処理部４は、「Ｉｎｐｕｔ」が「０」である場合に、第１入力端子２Ａに対応する明るさの表示条件（「Ｂｒｉｇ＿Ｉｎ１」）の設定を実施する。また、映像信号出力処理部４は、「Ｉｎｐｕｔ」が「１」である場合に、第２入力端子２Ｂに対応する明るさの表示条件（「Ｂｒｉｇ＿Ｉｎ２」）の設定を実施する。
【０１１５】
具体的には、ステップａ７において「Ｂｒｉｇ＿ｒｓｖ＿ｆｌｇ」が「１」ではないと判断された場合には、映像信号出力処理部４は、遠隔操作装置２００から出力された、コマンド部が「ＢＲＩＧ」のシリアル通信用信号におけるパラメータ部で定義されるパラメータ値に基づいて、明るさの表示条件の設定を実施する。また、ステップａ１０において中央演算部１２が予約された映像の明るさに関する設定を反映させる処理を実施した場合には、映像信号出力処理部４は、予約設定された「Ｂｒｉｇ＿ｒｓｖ」に基づいて、明るさの表示条件の設定を実施する。
【０１１６】
次に、ステップａ１８では、スケーリング処理部５は、「Ｉｎｐｕｔ」が「０」である場合に、第１入力端子２Ａに対応する大きさの表示条件（「Ｓｉｚｅ＿Ｉｎ１」）の設定を実施する。また、スケーリング処理部５は、「Ｉｎｐｕｔ」が「１」である場合に、第２入力端子２Ｂに対応する大きさの表示条件（「Ｓｉｚｅ＿Ｉｎ２」）の設定を実施する。
【０１１７】
具体的には、ステップａ１２において「Ｓｉｚｅ＿ｒｓｖ＿ｆｌｇ」が「１」ではないと判断された場合には、スケーリング処理部５は、遠隔操作装置２００から出力された、コマンド部が「ＳＩＺＥ」のシリアル通信用信号におけるパラメータ部で定義されるパラメータ値に基づいて、大きさの表示条件の設定を実施する。また、ステップａ１５において中央演算部１２が予約された映像の大きさに関する設定を反映させる処理を実施した場合には、スケーリング処理部５は、予約設定された「Ｓｉｚｅ＿ｒｓｖ」に基づいて、大きさの表示条件の設定を実施する。
【０１１８】
次に、ステップａ１９では、表示処理部１３は、第１入力端子２Ａまたは第２入力端子２Ｂから入力される映像信号に基づく映像を、ステップａ１７において設定された明るさの表示条件、および、ステップａ１８において設定された大きさの表示条件で、表示部１の表示画面１０１に表示させる。このようにして、映像表示システム３００の映像表示装置１００において、表示処理部１３は、第１入力端子２Ａまたは第２入力端子２Ｂから入力される映像信号に基づく映像を、シリアル通信用信号に基づいて、映像信号出力処理部４およびスケーリング処理部５によって予め設定された表示条件で表示画面１０１に表示させる。これによって、第１入力端子２Ａまたは第２入力端子２Ｂから入力される映像信号に基づく、所望の表示条件に設定された映像を、１回の切換えで表示画面１０１に表示させることができるので、スムーズな映像の表示が可能となる。
【０１１９】
＜映像表示装置におけるＢＲＩＧコマンド処理＞
図７Ａ〜７Ｃは、映像表示装置１００におけるＢＲＩＧコマンド処理を示すフローチャートである。
【０１２０】
ステップｂ１では、シリアル通信処理部７は、前述のステップｓ３においてシリアル通信用信号に対する信号解析処理を行ったことで得られる、パラメータ部を数値化したパラメータが、表示部１における映像の明るさの設定可能範囲である「０」以上「１００」以下であるか否かを判断する。シリアル通信処理部７がパラメータは上記の範囲内であると判断した場合にはステップｂ２に進み、パラメータは上記の範囲内ではないと判断した場合にはＢＲＩＧコマンド処理に関して処理すべき内容がないと判断して映像表示処理を終了する。
【０１２１】
ステップｂ２では、シリアル通信処理部７は、コマンド部が「ＢＲＩＧ」のシリアル通信用信号において、オプション部の指定がなされているか否かを判断する。シリアル通信処理部７は、オプション部の指定がなされていると判断した場合にはステップｂ５に進み、オプション部の指定がなされていないと判断した場合にはステップｂ３に進む。
【０１２２】
ステップｂ３では、中央演算部１２は、「Ｉｎｐｕｔ」が「０」である場合に、第１入力端子２Ａから入力される映像信号に基づく映像の明るさが、シリアル通信用信号におけるパラメータ部で定義されるパラメータ値を反映するように、第１入力端子２Ａに対する表示条件を設定する（「Ｂｒｉｇ＿Ｉｎ１」を「パラメータ」に設定する）。また、中央演算部１２は、「Ｉｎｐｕｔ」が「１」である場合に、第２入力端子２Ｂから入力される映像信号に基づく映像の明るさが、シリアル通信用信号におけるオプション部で定義されるパラメータ値を反映するように、第２入力端子２Ｂに対する表示条件を設定する（「Ｂｒｉｇ＿Ｉｎ２」を「パラメータ」に設定する）。
【０１２３】
次に、ステップｂ４では、映像信号出力処理部４は、「Ｉｎｐｕｔ」が「０」である場合に、第１入力端子２Ａに対応する明るさの表示条件（「Ｂｒｉｇ＿Ｉｎ１」）として、ステップｂ３において設定された表示条件を実施し、「Ｉｎｐｕｔ」が「１」である場合に、第２入力端子２Ｂに対応する明るさの表示条件（「Ｂｒｉｇ＿Ｉｎ２」）として、ステップｂ３において設定された表示条件を実施し、ＢＲＩＧコマンド処理を終了する。なお、このステップｂ４において、映像信号出力処理部４が設定を実施した明るさに関する表示条件は、前述したＩＮＰＳコマンド処理におけるステップａ１７で使用される。
【０１２４】
ステップｂ２においてシリアル通信用信号のオプション部が指定されていると判断された後のステップｂ５では、シリアル通信処理部７は、シリアル通信用信号においてオプション部が「０」であるか否かを判断する。シリアル通信処理部７が、オプション部は「０」であると判断した場合にはステップｂ６に進み、オプション部は「０」ではないと判断した場合にはステップｂ８に進む。
【０１２５】
ステップｂ６では、中央演算部１２は、シリアル通信用信号のオプション部が「０」であることの指令に基づいて、「Ｂｒｉｇ＿ｒｓｖ＿ｆｌｇ」を「１」に設定し、予約設定フラグをセットする。さらに、中央演算部１２は、「Ｂｒｉｇ＿Ｉｎ１＿ｃｈｇ＿ｆｌｇ」および「Ｂｒｉｇ＿Ｉｎ２＿ｃｈｇ＿ｆｌｇ」を「０」に設定し、各フラグ変数を初期化する。
【０１２６】
次に、ステップｂ７では、中央演算部１２は、シリアル通信用信号におけるパラメータ部で定義されるパラメータ値を、予約変数「Ｂｒｉｇ＿ｒｓｖ」に設定し、ＢＲＩＧコマンド処理を終了する。なお、このステップｂ７において、中央演算部１２によってパラメータ値が設定された「Ｂｒｉｇ＿ｒｓｖ」は、前述したＩＮＰＳコマンド処理におけるステップａ１０で使用される。
【０１２７】
ステップｂ５においてオプション部は「０」ではないと判断された後のステップｂ８では、シリアル通信処理部７は、シリアル通信用信号においてオプション部が「１」であるか否かを判断する。シリアル通信処理部７が、オプション部は「１」であると判断した場合にはステップｂ９に進み、オプション部は「１」ではないと判断した場合にはステップｂ１６に進む。
【０１２８】
ステップｂ９では、中央演算部１２は、シリアル通信用信号のオプション部が「１」であることの指令に基づいて、シリアル通信用信号におけるパラメータ部で定義されるパラメータ値を、第１入力端子２Ａに設定する（「Ｂｒｉｇ＿Ｉｎ１」を「パラメータ」に設定する）。
【０１２９】
次に、ステップｂ１０では、中央演算部１２は、内部記憶部９に格納される「Ｉｎｐｕｔ」が「０」であるか否かを判断する。中央演算部１２が、「Ｉｎｐｕｔ」は「０」であると判断した場合にはステップｂ１１に進み、「Ｉｎｐｕｔ」は「０」ではないと判断した場合にはステップｂ１４に進む。
【０１３０】
ステップｂ１１では、中央演算部１２は、内部記憶部９に格納される「Ｂｒｉｇ＿ｒｓｖ」変数に設定が予約されているか否かを表すフラグ変数である「Ｂｒｉｇ＿ｒｓｖ＿ｆｌｇ」が「１」であるか否かを判断する。ここで、「Ｂｒｉｇ＿ｒｓｖ＿ｆｌｇ」が「１」である場合、「Ｂｒｉｇ＿ｒｓｖ」変数に設定が予約されていることを表し、「Ｂｒｉｇ＿ｒｓｖ＿ｆｌｇ」が「０」である場合、「Ｂｒｉｇ＿ｒｓｖ」変数に設定が予約されていないことを表す。中央演算部１２が、「Ｂｒｉｇ＿ｒｓｖ＿ｆｌｇ」は「１」であると判断した場合にはステップｂ１２に進み、「Ｂｒｉｇ＿ｒｓｖ＿ｆｌｇ」は「１」ではないと判断した場合にはステップｂ１３に進む。
【０１３１】
ステップｂ１２では、中央演算部１２は、内部記憶部９に格納される「Ｂｒｉｇ＿Ｉｎ１＿ｃｈｇ＿ｆｌｇ」を「１」に設定し、「Ｂｒｉｇ＿Ｉｎ１＿ｃｈｇ＿ｆｌｇ」をセットする。
【０１３２】
次に、ステップｂ１３では、映像信号出力処理部４は、「Ｉｎｐｕｔ」が「０」である場合に、第１入力端子２Ａに対応する明るさの表示条件（「Ｂｒｉｇ＿Ｉｎ１」）として、ステップｂ９において設定された表示条件を実施し、ＢＲＩＧコマンド処理を終了する。なお、このステップｂ１３において、映像信号出力処理部４が設定を実施した明るさに関する表示条件は、前述したＩＮＰＳコマンド処理におけるステップａ１７で使用される。
【０１３３】
ステップｂ１０において「Ｉｎｐｕｔ」が「０」ではないと判断された後のステップｂ１４では、中央演算部１２は、内部記憶部９に格納される「Ｂｒｉｇ＿ｒｓｖ」変数に設定が予約されているか否かを表すフラグ変数である「Ｂｒｉｇ＿ｒｓｖ＿ｆｌｇ」が「１」であるか否かを判断する。中央演算部１２が、「Ｂｒｉｇ＿ｒｓｖ＿ｆｌｇ」は「１」であると判断した場合にはステップｂ１５に進み、「Ｂｒｉｇ＿ｒｓｖ＿ｆｌｇ」は「１」ではないと判断した場合にはＢＲＩＧコマンド処理を終了する。
【０１３４】
ステップｂ１５では、中央演算部１２は、内部記憶部９に格納される「Ｂｒｉｇ＿Ｉｎ２＿ｃｈｇ＿ｆｌｇ」を「１」に設定し、「Ｂｒｉｇ＿Ｉｎ２＿ｃｈｇ＿ｆｌｇ」をセットし、ＢＲＩＧコマンド処理を終了する。
【０１３５】
ステップｂ８においてオプション部は「１」ではないと判断された後のステップｂ１６では、シリアル通信処理部７は、シリアル通信用信号においてオプション部が「２」であるか否かを判断する。シリアル通信処理部７が、オプション部は「２」であると判断した場合にはステップｂ１７に進み、オプション部は「２」ではないと判断した場合にはステップｂ１９に進む。
【０１３６】
ステップｂ１７では、中央演算部１２は、シリアル通信用信号のオプション部が「２」であることの指令に基づいて、シリアル通信用信号におけるパラメータ部で定義されるパラメータ値を、第２入力端子２Ｂに設定する（「Ｂｒｉｇ＿Ｉｎ２」を「パラメータ」に設定する）。
【０１３７】
次に、ステップｂ１８では、中央演算部１２は、内部記憶部９に格納される「Ｉｎｐｕｔ」が「１」であるか否かを判断する。中央演算部１２が、「Ｉｎｐｕｔ」は「１」であると判断した場合にはステップｂ１９に進み、「Ｉｎｐｕｔ」は「１」ではないと判断した場合にはステップｂ２２に進む。
【０１３８】
ステップｂ１９では、中央演算部１２は、内部記憶部９に格納される「Ｂｒｉｇ＿ｒｓｖ」変数に設定が予約されているか否かを表すフラグ変数である「Ｂｒｉｇ＿ｒｓｖ＿ｆｌｇ」が「１」であるか否かを判断する。ここで、「Ｂｒｉｇ＿ｒｓｖ＿ｆｌｇ」が「１」である場合、「Ｂｒｉｇ＿ｒｓｖ」変数に設定が予約されていることを表し、「Ｂｒｉｇ＿ｒｓｖ＿ｆｌｇ」が「０」である場合、「Ｂｒｉｇ＿ｒｓｖ」変数に設定が予約されていないことを表す。中央演算部１２が、「Ｂｒｉｇ＿ｒｓｖ＿ｆｌｇ」は「１」であると判断した場合にはステップｂ２０に進み、「Ｂｒｉｇ＿ｒｓｖ＿ｆｌｇ」は「１」ではないと判断した場合にはステップｂ２１に進む。
【０１３９】
ステップｂ２０では、中央演算部１２は、内部記憶部９に格納される「Ｂｒｉｇ＿Ｉｎ２＿ｃｈｇ＿ｆｌｇ」を「１」に設定し、「Ｂｒｉｇ＿Ｉｎ２＿ｃｈｇ＿ｆｌｇ」をセットする。
【０１４０】
次に、ステップｂ２１では、映像信号出力処理部４は、「Ｉｎｐｕｔ」が「１」である場合に、第２入力端子２Ｂに対応する明るさの表示条件（「Ｂｒｉｇ＿Ｉｎ２」）として、ステップｂ１７において設定された表示条件を実施し、ＢＲＩＧコマンド処理を終了する。なお、このステップｂ２１において、映像信号出力処理部４が設定を実施した明るさに関する表示条件は、前述したＩＮＰＳコマンド処理におけるステップａ１７で使用される。
【０１４１】
ステップｂ１８において「Ｉｎｐｕｔ」が「１」ではないと判断された後のステップｂ２２では、中央演算部１２は、内部記憶部９に格納される「Ｂｒｉｇ＿ｒｓｖ」変数に設定が予約されているか否かを表すフラグ変数である「Ｂｒｉｇ＿ｒｓｖ＿ｆｌｇ」が「１」であるか否かを判断する。中央演算部１２が、「Ｂｒｉｇ＿ｒｓｖ＿ｆｌｇ」は「１」であると判断した場合にはステップｂ２３に進み、「Ｂｒｉｇ＿ｒｓｖ＿ｆｌｇ」は「１」ではないと判断した場合にはＢＲＩＧコマンド処理を終了する。
【０１４２】
ステップｂ２３では、中央演算部１２は、内部記憶部９に格納される「Ｂｒｉｇ＿Ｉｎ１＿ｃｈｇ＿ｆｌｇ」を「１」に設定し、「Ｂｒｉｇ＿Ｉｎ１＿ｃｈｇ＿ｆｌｇ」をセットし、ＢＲＩＧコマンド処理を終了する。
【０１４３】
以上のようなＢＲＩＧコマンド処理によって設定された、映像の明るさに関する表示条件は、前述したＩＮＰＳコマンド処理において、映像信号処理部３によって選択された入力端子から入力される映像信号に基づく映像の表示条件として使用される。
【０１４４】
＜映像表示装置におけるＳＩＺＥコマンド処理＞
図８Ａ〜８Ｃは、映像表示装置１００におけるＳＩＺＥコマンド処理を示すフローチャートである。
【０１４５】
ステップｃ１では、シリアル通信処理部７は、前述のステップｓ３においてシリアル通信用信号に対する信号解析処理を行ったことで得られる、パラメータ部を数値化したパラメータが、表示部１における映像の大きさの設定可能値である「０」または「１」であるか否かを判断する。シリアル通信処理部７がパラメータは上記の設定可能値であると判断した場合にはステップｃ２に進み、パラメータは上記の設定可能値ではないと判断した場合にはＳＩＺＥコマンド処理に関して処理すべき内容がないと判断して映像表示処理を終了する。
【０１４６】
ステップｃ２では、シリアル通信処理部７は、コマンド部が「ＳＩＺＥ」のシリアル通信用信号において、オプション部の指定がなされているか否かを判断する。シリアル通信処理部７は、オプション部の指定がなされていると判断した場合にはステップｃ５に進み、オプション部の指定がなされていないと判断した場合にはステップｃ３に進む。
【０１４７】
ステップｃ３では、中央演算部１２は、「Ｉｎｐｕｔ」が「０」である場合に、第１入力端子２Ａから入力される映像信号に基づく映像の大きさが、シリアル通信用信号におけるパラメータ部で定義されるパラメータ値を反映するように、第１入力端子２Ａに対する表示条件を設定する（「Ｓｉｚｅ＿Ｉｎ１」を「パラメータ」に設定する）。また、中央演算部１２は、「Ｉｎｐｕｔ」が「１」である場合に、第２入力端子２Ｂから入力される映像信号に基づく映像の大きさが、シリアル通信用信号におけるオプション部で定義されるパラメータ値を反映するように、第２入力端子２Ｂに対する表示条件を設定する（「Ｓｉｚｅ＿Ｉｎ２」を「パラメータ」に設定する）。
【０１４８】
次に、ステップｃ４では、スケーリング処理部５は、「Ｉｎｐｕｔ」が「０」である場合に、第１入力端子２Ａに対応する大きさの表示条件（「Ｓｉｚｅ＿Ｉｎ１」）として、ステップｃ３において設定された表示条件を実施し、また、「Ｉｎｐｕｔ」が「１」である場合に、第２入力端子２Ｂに対応する大きさの表示条件（「Ｓｉｚｅ＿Ｉｎ２」）として、ステップｃ３において設定された表示条件を実施し、Ｓｉｚｅコマンド処理を終了する。なお、このステップｃ４において、スケーリング処理部５が設定を実施した大きさに関する表示条件は、前述したＩＮＰＳコマンド処理におけるステップａ１８で使用される。
【０１４９】
ステップｃ２においてシリアル通信用信号のオプション部が指定されていると判断された後のステップｃ５では、シリアル通信処理部７は、シリアル通信用信号においてオプション部が「０」であるか否かを判断する。シリアル通信処理部７が、オプション部は「０」であると判断した場合にはステップｃ６に進み、オプション部は「０」ではないと判断した場合にはステップｃ８に進む。
【０１５０】
ステップｃ６では、中央演算部１２は、シリアル通信用信号のオプション部が「０」であることの指令に基づいて、「Ｓｉｚｅ＿ｒｓｖ＿ｆｌｇ」を「１」に設定し、予約設定フラグをセットする。さらに、中央演算部１２は、「Ｓｉｚｅ＿Ｉｎ１＿ｃｈｇ＿ｆｌｇ」および「Ｓｉｚｅ＿Ｉｎ２＿ｃｈｇ＿ｆｌｇ」を「０」に設定し、各フラグ変数を初期化する。
【０１５１】
次に、ステップｃ７では、中央演算部１２は、シリアル通信用信号におけるパラメータ部で定義されるパラメータ値を、予約変数「Ｓｉｚｅ＿ｒｓｖ」に設定し、ＳＩＺＥコマンド処理を終了する。なお、このステップｃ７において、中央演算部１２によってパラメータ値が設定された「Ｓｉｚｅ＿ｒｓｖ」は、前述したＩＮＰＳコマンド処理におけるステップａ１５で使用される。
【０１５２】
ステップｃ５においてオプション部は「０」ではないと判断された後のステップｃ８では、シリアル通信処理部７は、シリアル通信用信号においてオプション部が「１」であるか否かを判断する。シリアル通信処理部７が、オプション部は「１」であると判断した場合にはステップｃ９に進み、オプション部は「１」ではないと判断した場合にはステップｃ１６に進む。
【０１５３】
ステップｃ９では、中央演算部１２は、シリアル通信用信号のオプション部が「１」であることの指令に基づいて、シリアル通信用信号におけるパラメータ部で定義されるパラメータ値を、第１入力端子２Ａに設定する（「Ｓｉｚｅ＿Ｉｎ１」を「パラメータ」に設定する）。
【０１５４】
次に、ステップｃ１０では、中央演算部１２は、内部記憶部９に格納される「Ｉｎｐｕｔ」が「０」であるか否かを判断する。中央演算部１２が、「Ｉｎｐｕｔ」は「０」であると判断した場合にはステップｃ１１に進み、「Ｉｎｐｕｔ」は「０」ではないと判断した場合にはステップｃ１４に進む。
【０１５５】
ステップｃ１１では、中央演算部１２は、内部記憶部９に格納される「Ｓｉｚｅ＿ｒｓｖ」変数に設定が予約されているか否かを表すフラグ変数である「Ｓｉｚｅ＿ｒｓｖ＿ｆｌｇ」が「１」であるか否かを判断する。ここで、「Ｓｉｚｅ＿ｒｓｖ＿ｆｌｇ」が「１」である場合、「Ｓｉｚｅ＿ｒｓｖ」変数に設定が予約されていることを表し、「Ｓｉｚｅ＿ｒｓｖ＿ｆｌｇ」が「０」である場合、「Ｓｉｚｅ＿ｒｓｖ」変数に設定が予約されていないことを表す。中央演算部１２が、「Ｓｉｚｅ＿ｒｓｖ＿ｆｌｇ」は「１」であると判断した場合にはステップｃ１２に進み、「Ｓｉｚｅ＿ｒｓｖ＿ｆｌｇ」は「１」ではないと判断した場合にはステップｃ１３に進む。
【０１５６】
ステップｃ１２では、中央演算部１２は、内部記憶部９に格納される「Ｓｉｚｅ＿Ｉｎ１＿ｃｈｇ＿ｆｌｇ」を「１」に設定し、「Ｓｉｚｅ＿Ｉｎ１＿ｃｈｇ＿ｆｌｇ」をセットする。
【０１５７】
次に、ステップｃ１３では、スケーリング処理部５は、「Ｉｎｐｕｔ」が「０」である場合に、第１入力端子２Ａに対応する大きさの表示条件（「Ｓｉｚｅ＿Ｉｎ１」）として、ステップｃ９において設定された表示条件を実施し、ＳＩＺＥコマンド処理を終了する。なお、このステップｃ１３において、スケーリング処理部５が設定を実施した大きさに関する表示条件は、前述したＩＮＰＳコマンド処理におけるステップａ１８で使用される。
【０１５８】
ステップｃ１０において「Ｉｎｐｕｔ」が「０」ではないと判断された後のステップｃ１４では、中央演算部１２は、内部記憶部９に格納される「Ｓｉｚｅ＿ｒｓｖ」変数に設定が予約されているか否かを表すフラグ変数である「Ｓｉｚｅ＿ｒｓｖ＿ｆｌｇ」が「１」であるか否かを判断する。中央演算部１２が、「Ｓｉｚｅ＿ｒｓｖ＿ｆｌｇ」は「１」であると判断した場合にはステップｃ１５に進み、「Ｓｉｚｅ＿ｒｓｖ＿ｆｌｇ」は「１」ではないと判断した場合にはＳＩＺＥコマンド処理を終了する。
【０１５９】
ステップｃ１５では、中央演算部１２は、内部記憶部９に格納される「Ｓｉｚｅ＿Ｉｎ２＿ｃｈｇ＿ｆｌｇ」を「１」に設定し、「Ｓｉｚｅ＿Ｉｎ２＿ｃｈｇ＿ｆｌｇ」をセットし、ＳＩＺＥコマンド処理を終了する。
【０１６０】
ステップｃ８においてオプション部は「１」ではないと判断された後のステップｃ１６では、シリアル通信処理部７は、シリアル通信用信号においてオプション部が「２」であるか否かを判断する。シリアル通信処理部７が、オプション部は「２」であると判断した場合にはステップｃ１７に進み、オプション部は「２」ではないと判断した場合にはステップｃ１９に進む。
【０１６１】
ステップｃ１７では、中央演算部１２は、シリアル通信用信号のオプション部が「２」であることの指令に基づいて、シリアル通信用信号におけるパラメータ部で定義されるパラメータ値を、第２入力端子２Ｂに設定する（「Ｓｉｚｅ＿Ｉｎ２」を「パラメータ」に設定する）。
【０１６２】
次に、ステップｃ１８では、中央演算部１２は、内部記憶部９に格納される「Ｉｎｐｕｔ」が「１」であるか否かを判断する。中央演算部１２が、「Ｉｎｐｕｔ」は「１」であると判断した場合にはステップｃ１９に進み、「Ｉｎｐｕｔ」は「１」ではないと判断した場合にはステップｃ２２に進む。
【０１６３】
ステップｃ１９では、中央演算部１２は、内部記憶部９に格納される「Ｓｉｚｅ＿ｒｓｖ」変数に設定が予約されているか否かを表すフラグ変数である「Ｓｉｚｅ＿ｒｓｖ＿ｆｌｇ」が「１」であるか否かを判断する。ここで、「Ｓｉｚｅ＿ｒｓｖ＿ｆｌｇ」が「１」である場合、「Ｓｉｚｅ＿ｒｓｖ」変数に設定が予約されていることを表し、「Ｓｉｚｅ＿ｒｓｖ＿ｆｌｇ」が「０」である場合、「Ｓｉｚｅ＿ｒｓｖ」変数に設定が予約されていないことを表す。中央演算部１２が、「Ｓｉｚｅ＿ｒｓｖ＿ｆｌｇ」は「１」であると判断した場合にはステップｃ２０に進み、「Ｓｉｚｅ＿ｒｓｖ＿ｆｌｇ」は「１」ではないと判断した場合にはステップｃ２１に進む。
【０１６４】
ステップｃ２０では、中央演算部１２は、内部記憶部９に格納される「Ｓｉｚｅ＿Ｉｎ２＿ｃｈｇ＿ｆｌｇ」を「１」に設定し、「Ｓｉｚｅ＿Ｉｎ２＿ｃｈｇ＿ｆｌｇ」をセットする。
【０１６５】
次に、ステップｃ２１では、スケーリング処理部５は、「Ｉｎｐｕｔ」が「１」である場合に、第２入力端子２Ｂに対応する大きさの表示条件（「Ｓｉｚｅ＿Ｉｎ２」）として、ステップｃ１７において設定された表示条件を実施し、ＳＩＺＥコマンド処理を終了する。なお、このステップｃ２１において、スケーリング処理部５が設定を実施した大きさに関する表示条件は、前述したＩＮＰＳコマンド処理におけるステップａ１８で使用される。
【０１６６】
ステップｃ１８において「Ｉｎｐｕｔ」が「１」ではないと判断された後のステップｃ２２では、中央演算部１２は、内部記憶部９に格納される「Ｓｉｚｅ＿ｒｓｖ」変数に設定が予約されているか否かを表すフラグ変数である「Ｓｉｚｅ＿ｒｓｖ＿ｆｌｇ」が「１」であるか否かを判断する。中央演算部１２が、「Ｓｉｚｅ＿ｒｓｖ＿ｆｌｇ」は「１」であると判断した場合にはステップｃ２３に進み、「Ｓｉｚｅ＿ｒｓｖ＿ｆｌｇ」は「１」ではないと判断した場合にはＳＩＺＥコマンド処理を終了する。
【０１６７】
ステップｃ２３では、中央演算部１２は、内部記憶部９に格納される「Ｓｉｚｅ＿Ｉｎ１＿ｃｈｇ＿ｆｌｇ」を「１」に設定し、「Ｓｉｚｅ＿Ｉｎ１＿ｃｈｇ＿ｆｌｇ」をセットし、ＳＩＺＥコマンド処理を終了する。
【０１６８】
以上のようなＳＩＺＥコマンド処理によって設定された、映像の大きさに関する表示条件は、前述したＩＮＰＳコマンド処理において、映像信号処理部３によって選択された入力端子から入力される映像信号に基づく映像の表示条件として使用される。
【０１６９】
（映像表示プログラム）
前記映像表示システム３００としてコンピュータを機能させるための映像表示プログラムは、従来公知の、コンピュータ読み取り可能な記録媒体に記録できる。
【０１７０】
前記映像表示プログラムを記録媒体に記録することで、映像表示プログラムに基づく処理を実行するためのプログラムコード（実行形式プログラム、中間コードプログラムおよびソースプログラムなど）を記録した記録媒体を持ち運び自在に提供することができる。
【０１７１】
なお、記録媒体は、マイクロコンピュータが処理を行うためのメモリ、たとえばＲＯＭ（Read Only Memory）のようなプログラムメディアであってもよいし、または、コンピュータが外部記憶装置として備えるプログラム読取装置に挿入することで読み取られるプログラムメディアであってもよい。
【０１７２】
記録媒体に格納されているプログラムは、マイクロプロセッサが記録媒体にアクセスして実行する方式であってもよいし、または、マイクロプロセッサが記録媒体からプログラムコードを読み出し、読み出されたプログラムコードがマイクロコンピュータのプログラム記憶エリアにダウンロードされることで、そのプログラムが実行される方式であってもよい。このダウンロード用のプログラムは予め本体装置に格納されているものとする。
【０１７３】
ここで、前記プログラムメディアは、本体と分離可能に構成される記録媒体であり、磁気テープ、カセットテープなどのテープ系、フレキシブルディスク、ハードディスクなどの磁気ディスク、ＣＤ−ＲＯＭ（Compact Disc-Read Only Memory）、ＭＯ（Magneto Optical disc）、ＭＤ（Mini Disc）、ＤＶＤ（Digital Versatile Disc）などの光ディスク系、ＩＣ（Integrated Circuit）カード（メモリカードを含む）、光カードなどのカード系、あるいはマスクＲＯＭ、ＥＰＲＯＭ（Erasable Programmable Read Only Memory）、ＥＥＰＲＯＭ（登録商標）（Electrically Erasable Programmable Read Only Memory）、フラッシュＲＯＭなどによる半導体メモリを含めた固定的にプログラムを担持する媒体であってもよい。
【０１７４】
また、コンピュータが、インターネットを含む通信ネットワークを接続可能なシステム構成であれば、記録媒体は、通信ネットワークからプログラムコードをダウンロードするように、流動的にプログラムコードを担持する媒体であってもよい。なお、このように通信ネットワークからプログラムをダウンロードする場合には、そのダウンロード用のプログラムは予め映像表示装置本体に格納しておくか、または他の記録媒体からインストールしておく。また、前記映像表示プログラムは、前記プログラムコードが電子的な伝送で具現化された、搬送波に埋め込まれたコンピュータデータ信号の形態でも実現され得る。
【符号の説明】
【０１７５】
１  表示部
２Ａ  第１入力端子
２Ｂ  第２入力端子
３  映像信号処理部
４  映像信号出力処理部
５  スケーリング処理部
６  内部パターン制御部
７  シリアル通信処理部
８  ＩＲ信号処理部
９内部記憶部
１０  外部記憶部
１１  表示用・表示処理用一時記憶部
１２  中央演算部
１３  表示処理部
５０Ａ  第１外部機器
５０Ｂ  第２外部機器
１００  映像表示装置
２００  遠隔操作装置
２０１  シリアル通信用信号生成部
２０２  信号出力部
２０５  通信ネットワーク
２５０  ＩＲ信号送信装置
３００  映像表示システム
【図１】
2013222005.tif 000011
【図２】
2013222005.tif 000012
【図５】
2013222005.tif 000013
【図６Ａ】
2013222005.tif 000014
【図６Ｂ】
2013222005.tif 000015
【図７Ａ】
2013222005.tif 000016
【図７Ｂ】
2013222005.tif 000017
【図７Ｃ】
2013222005.tif 000018
【図８Ａ】
2013222005.tif 000019
【図８Ｂ】
2013222005.tif 000020
【図８Ｃ】
2013222005.tif 000021
【図３】
2013222005.tif 000022
【図４】
2013222005.tif 000023